(57)【要約】【課題】  高解像度の画像のチャンネルと普通の解像度の画像のチャンネルとを同時に受信して、それぞれ主画面および副画面に表示して、随時チャンネルを切り替えて視聴する場合に、切替時の画像の欠落を防止する。【解決手段】  表示コントローラ５は、１３セグデコーダ２から出力される高解像度の画像を表示装置７の主画面の領域に表示し、１セグデコーダ４から出力される通常の解像度の画像を表示装置７の副画面の領域に表示する。制御部６は、主画面および副画面に表示するテレビ放送を切り替える切替指令がユーザＩ／Ｆ８から入力されたときは、１３セグデコーダ２から高解像度の画像が出力されるまでの期間においては、１セグデコーダ４から出力される通常の解像度の静止画を主画面に表示するように表示コントローラ５に対して指示する。【選択図】      図１
2006196936.tif 000002
【特許請求の範囲】
【請求項１】
１つの番組を異なる２つ以上の解像度に圧縮して配信するテレビ放送を受信するテレビ受信装置であって、
チャンネル選択信号に応じて複数のチャンネルから１つのチャンネルを受信して前記異なる解像度の内、より高い解像度の伸長処理を行って出力する第１の信号処理手段と、
チャンネル選択信号に応じて複数のチャンネルから１つのチャンネルを受信して前記異なる解像度の内、より低い解像度の伸長処理を行って出力する第２の信号処理手段と、
前記第１の信号処理手段から出力される画像を所定の表示手段における第１の領域に表示し、前記第２の信号処理手段から出力される画像を当該表示手段の第２の領域に表示する表示制御手段と、
前記第１の領域および前記第２の領域に表示するテレビ放送を切り替える切替指令が所定の操作手段から入力されたときは、当該切替指令に応じて切り替えたチャンネルのテレビ放送を受信した前記第１の信号処理手段から画像が出力されるまでの期間においては、前記第２の信号処理手段から出力される画像を前記第１の領域に表示するように前記表示制御手段に対して指示する切替指示手段と、
を備えることを特徴とするテレビ受信装置。
【請求項２】
前記切替指示手段は、前記第１の信号処理手段から画像が出力されるまでの期間においては、前記第２の信号処理手段から出力される静止画を前記第１の領域に表示するように前記表示制御手段に対して指示することを特徴とする請求項１に記載のテレビ受信装置。
【請求項３】
前記第２の信号処理手段によって受信された圧縮画像を記憶する記憶手段をさらに備え、前記切替指示手段は、前記切替指令が入力されたときは、前記第１の信号処理手段から画像が出力されるまでの期間においては、前記記憶手段に記憶された圧縮画像が前記第２の信号処理手段によって伸長処理されて出力される画像を前記第１の領域に表示するように前記表示制御手段に対して指示することを特徴とする請求項１に記載のテレビ受信装置。
【請求項４】
前記第２の信号処理手段によって伸長処理された画像を記憶する記憶手段をさらに備え、前記切替指示手段は、前記切替指令が入力されたときは、前記第１の信号処理手段から画像が出力されるまでの期間においては、前記記憶手段に記憶された画像を前記第１の領域に表示するように前記表示制御手段に対して指示することを特徴とする請求項１に記載のテレビ受信装置。
【請求項５】
前記表示制御手段は、前記第２の信号処理手段により作成された静止画を前記第２の領域に表示することを特徴とする請求項１に記載のテレビ受信装置。
【請求項６】
前記切替指示手段は、前記操作手段から節電表示の指令が入力されたときは、前記第１の信号処理手段に対する電源供給を停止し、前記第２の信号処理手段から出力される画像を前記第１の領域に表示するように前記表示制御手段に対して指示し、当該節電表示中において、前記操作手段から通常表示の指令が入力されたときは、前記第１の信号処理手段に対する電源供給を再開し、前記第１の信号処理手段から出力される画像を前記第１の領域に表示するように前記表示制御手段に対して指示することを特徴とする請求項１に記載のテレビ受信装置。
【請求項７】
１つの番組を異なる２つ以上の解像度に圧縮して配信するテレビ放送を受信するテレビ受信装置の制御プログラムであって、
チャンネル選択信号に応じて複数のチャンネルから１つのチャンネルを受信して前記異なる解像度の内、より高い解像度の伸長処理を行って出力する第１のステップと、
チャンネル選択信号に応じて複数のチャンネルから１つのチャンネルを受信して前記異なる解像度の内、より低い解像度の伸長処理を行って出力する第２のステップと、
前記第１のステップによって出力される画像を所定の表示手段における第１の領域に表示し、前記第２のステップによって出力される画像を当該表示手段の第２の領域に表示する第３のステップと、
前記第１の領域および前記第２の領域に表示するテレビ放送を切り替える切替指令が所定の操作手段から入力されたときは、当該切替指令に応じて切り替えたチャンネルのテレビ放送の画像が前記第１のステップによって出力されるまでの期間においては、前記第２のステップによって出力される画像を前記第１の領域に表示する第４のステップと、
を実行することを特徴とするテレビ受信装置の制御プログラム。
【請求項８】
前記第４のステップは、前記第１のステップによって画像が出力されるまでの期間においては、前記第２のステップによって出力される静止画を前記第１の領域に表示することを特徴とする請求項７に記載のテレビ受信装置の制御プログラム。
【請求項９】
前記第２のステップによって受信された圧縮画像を所定の記憶手段に記憶する第５のステップをさらに実行し、前記第４のステップは、前記切替指令が入力されたときは、前記第１のステップによって伸長処理された画像が出力されるまでの期間においては、前記記憶手段に記憶された圧縮画像が前記第２のステップによって伸長処理されて出力される画像を前記第１の領域に表示することを特徴とする請求項７に記載のテレビ受信装置の制御プログラム。
【請求項１０】
前記第２のステップによって伸長処理された画像を所定の記憶手段に記憶する第５のステップをさらに実行し、前記第４のステップは、前記切替指令が入力されたときは、前記第１のステップによって伸長処理された画像が出力されるまでの期間においては、前記記憶手段に記憶された画像を前記第１の領域に表示することを特徴とする請求項７に記載のテレビ受信装置の制御プログラム。
【請求項１１】
前記第３のステップは、前記第２のステップによって作成された静止画を前記第２の領域に表示することを特徴とする請求項７に記載のテレビ受信装置の制御プログラム。
【請求項１２】
前記第３のステップは、前記操作手段から節電表示の指令が入力されたときは、前記第１のステップによって伸長処理を行う回路への電源供給の停止させ、前記第２のステップによって出力される画像を前記第１の領域に表示し、当該節電表示中において、前記操作手段から通常表示の指令が入力されたときは、前記回路に対する電源供給を再開し、前記第１のステップによって出力される画像を前記第１の領域に表示することを特徴とする請求項７に記載のテレビ受信装置の制御プログラム。
【発明の詳細な説明】
【技術分野】
【０００１】
本発明は、地上波ディジタル放送を受信するテレビ受信装置およびその制御プログラムに関するものである。
【背景技術】
【０００２】
ディスプレイの主画面の画像に重ねて副画面に別の画像を表示する従来のＰＩＰ（Picture in Picture）は、同等の受信系統が２系統必要であった。副画面はサイズが小さいため、主画面ほどの解像度は要求されないにもかかわらず、副画面のために主画面と同等の受信回路を用意するのはコスト面からも消費電力の面からも不経済であった。
一方、２００３年１２月から一部の地域に放送が開始された地上波ディジタル放送は、６ＭＨｚの帯域を１３セグメントに分割して伝送する。１３セグメントの帯域では５．７ＭＨｚが画像転送用であり、高解像度の画像をＭＰＥＧ−２ビデオの圧縮符号化処理によって圧縮して配信する。この１３セグメントのテレビ放送はいわゆる据え置き型のテレビ受信装置に対するものであるが、１３セグメントの中の１セグメントによって携帯電話機や携帯用のテレビ受信装置その他の移動体に対して、通常の解像度の画像を配信できるように計画されている。さらに、ＯＦＤＭ（直交周波数分割多重）方式によって、画像および音声のほかにデータや番組案内情報（ＥＰＧ）などの複数種類の情報をシステムのトランスポート・ストリームで多重化して配信する。
【０００３】
このようなサービスを考慮して、携帯用のテレビ受信装置においても１３セグメントのテレビ放送を受信して表示するための提案がなされている。
ある提案によるデジタル放送受信機においては、デジタル放送を受信するチューナ部およびこのチューナ部の信号を復調する復調部とを有するチューナモジュールと、チューナモジュールからの信号を映像処理する処理部およびこの処理部からの信号を表示する表示部とを有する汎用機器とを接続して、１３セグメント放送および１セグメント放送を放送するデジタル放送を視聴可能とするデジタル放送受信機において、汎用機器の表示部で表示される画面サイズが、設定されたサイズか或はこれよりも大きい場合には汎用機器からチューナモジュールに対し、１３セグメントを受信するように制御し、表示部で表示される画面サイズが、設定されたサイズよりも小さい場合には、汎用機器からチューナモジュールに対し、１セグメント放送を受信するように制御するような構成になっている。（特許文献１参照）
【０００４】
また、主画面用と副画面用の２つのテレビ受信装置を用意して、主画面用には１３セグメント放送から得られる高解像度の画像を出力し、副画面用には１セグメント放送から得られる通常の解像度の画像を出力して、両者の出力を合成して表示装置に表示することでＰＩＰを作ることが考えられる。例えば、主画面には報道番組やドラマなどを表示して視聴し、副画面にはサッカー中継やプロ野球中継などを表示しておき、副画面で興味を引くような事象が生じたときに、主画面と副画面の表示を切り替えることが考えられる。
【特許文献１】特開２００４−２８９７１２号公報
【発明の開示】
【発明が解決しようとする課題】
【０００５】
しかしながら、副画面で興味を引くような事象が生じて、主画面と副画面を入れ替えようとしたときに問題が発生する。地上波ディジタル放送においてはフレーム間の相似を利用したＭＰＥＧ−２ビデオによる動画圧縮を用いているため、チューナから出力した圧縮画像をデコーダに入力して、デコーダが伸長処理やその他の信号処理を行って画像を出力するまでに一定の時間を要する。デコーダにおける信号処理に要する時間は、圧縮画像が高解像度であるほど長くなる。すなわち、１３セグメントの圧縮画像を処理するデコーダの信号処理の時間は、１セグメントの圧縮画像を処理するデコーダの信号処理の時間よりも長くなる。
【０００６】
図１１は、主画面と副画面の表示を切り替える様子を示している。１３セグメント放送を受信するチューナおよび１セグメント放送を受信するチューナから出力されて、１３セグメントのデコーダおよび１セグメントのデコーダに入力されるデコーダ入力のフレーム画像１，２，３…に対して、１セグメントのデコーダから出力される普通の解像度の１セグデコーダ出力のフレーム画像１ａ，２ａ，３ａ…は、伸長処理やその他の信号処理に要する時間だけ遅れて出力される。これに対して、１３セグメントのデコーダから出力される高解像度の１３セグデコーダ出力のフレーム画像１ｂ，２ｂ，３ｂ…は、伸長処理やその他の信号処理に要する時間は１セグメントよりも長くかかるので、１セグデコーダ出力よりさらに遅れて出力される。
【０００７】
図１１において、ｔ０のタイミングで主画面と副画面を入れ替える切替指令が入力された場合には、１セグデコーダ出力のフレーム画像１ａが主画面に表示された後、表示切替によりｔ１のタイミングで１セグデコーダ出力の次のフレーム画像２ａは副画面に表示される。しかしながら、ｔ２のタイミングで１３セグデコーダ出力のフレーム画像３ｂが出力されるまでの期間は、主画面の画像に欠落が生じてしまう。ｔ０からｔ２までの時間は２〜３秒程度であるが、地上波ディジタル放送では１秒間に２５フレームの画像を配信しているので、５０〜７５フレームの画像が欠落することになり、場面によっては重大な問題になる。例えば、副画面でサッカー中継が流れていて、シュートチャンスが訪れた瞬間に切り替えを行った場合には、主画面に画像が表示されたときには最も重大なシーンは過ぎ去っており、視聴者が目にするのは得点をあげて雄叫びをあげている選手の姿か、シュートをはずして天を仰いでいる姿である。
【０００８】
本発明は、このような従来の課題を解決するためのものであり、高解像度の画像のチャンネルと普通の解像度の画像のチャンネルとを同時に受信して、それぞれ主画面および副画面に表示して、随時チャンネルを切り替えて視聴する場合に、切替時の画像の欠落を防止することを目的とする。
【課題を解決するための手段】
【０００９】
請求項１に記載のテレビ受信装置は、１つの番組を異なる２つ以上の解像度（実施形態においては、地上波ディジタル放送の１３セグメントおよび１セグメントの解像度に相当する）に圧縮して配信するテレビ放送を受信するテレビ受信装置であって、チャンネル選択信号に応じて複数のチャンネルから１つのチャンネルを受信して異なる解像度の内、より高い解像度の伸長処理を行って出力する第１の信号処理手段（実施形態においては、図１、図６、図９の１３セグチューナ１および１３セグデコーダ２に相当する）と、チャンネル選択信号に応じて複数のチャンネルから１つのチャンネルを受信して異なる解像度の内、より低い解像度の伸長処理を行って出力する第２の信号処理手段（実施形態においては、図１、図６、図９の１セグチューナ３および１セグデコーダ４に相当する）と、第１の信号処理手段から出力される画像を所定の表示手段（実施形態においては、図１、図６、図９の表示装置７に相当する）における第１の領域（実施形態においては、図３、図１０の主画面に相当する）に表示し、第２の信号処理手段から出力される画像を当該表示手段の第２の領域（実施形態においては、図３、図１０の副画面に相当する）に表示する表示制御手段（実施形態においては、図１、図６、図９の表示コントローラ５に相当する）と、第１の領域および前記第２の領域に表示するテレビ放送を切り替える切替指令が所定の操作手段（実施形態においては、図１、図６、図９のユーザＩ／Ｆ８に相当する）から入力されたときは、当該切替指令に応じて切り替えたチャンネルのテレビ放送を受信した第１の信号処理手段から画像が出力されるまでの期間においては、第２の信号処理手段から出力される画像を第１の領域に表示するように表示制御手段に対して指示する切替指示手段（実施形態においては、図１、図６、図９の制御部６に相当する）と、を備えた構成になっている。
【００１０】
請求項１のテレビ受信装置において、請求項２に記載したように、切替指示手段は、第１の信号処理手段から画像が出力されるまでの期間においては、第２の信号処理手段から出力される静止画を第１の領域に表示するように表示制御手段に対して指示するような構成にしてもよい。
【００１１】
請求項１のテレビ受信装置において、請求項３に記載したように、第２の信号処理手段によって受信された圧縮画像を記憶する記憶手段（実施形態においては、図６、図９のバッファ９に相当する）をさらに備え、切替指示手段は、切替指令が入力されたときは、第１の信号処理手段から画像が出力されるまでの期間においては、記憶手段に記憶された圧縮画像が第２の信号処理手段によって伸長処理されて出力される画像を第１の領域に表示するように表示制御手段に対して指示するような構成にしてもよい。
【００１２】
請求項１のテレビ受信装置において、請求項４に記載したように、第２の信号処理手段によって伸長処理された画像を記憶する記憶手段（実施形態においては、図６、図９のバッファ９に相当する）をさらに備え、切替指示手段は、切替指令が入力されたときは、第１の信号処理手段から画像が出力されるまでの期間においては、記憶手段に記憶された画像を第１の領域に表示するように表示制御手段に対して指示するような構成にしてもよい。
【００１３】
請求項１のテレビ受信装置において、請求項５に記載したように、表示制御手段は、第２の信号処理手段により作成された静止画を第２の領域に表示するような構成にしてもよい。
【００１４】
請求項１のテレビ受信装置において、請求項６に記載したように、切替指示手段は、操作手段から節電表示の指令が入力されたときは、第１の信号処理手段に対する電源供給を停止し、第２の信号処理手段から出力される画像を第１の領域に表示するように表示制御手段に対して指示し、当該節電表示中において、操作手段から通常表示の指令が入力されたときは、第１の信号処理手段に対する電源供給を再開し、第１の信号処理手段から出力される画像を第１の領域に表示するように表示制御手段に対して指示するような構成にしてもよい。
【００１５】
請求項７に記載のテレビ受信装置の制御プログラムは、１つの番組を異なる２つ以上の解像度（実施形態においては、地上波ディジタル放送の１３セグメントおよび１セグメントの解像度に相当する）に圧縮して配信するテレビ放送を受信するテレビ受信装置の制御プログラムであって、チャンネル選択信号に応じて１つのチャンネルを受信して異なる解像度の内、より高い解像度の伸長処理を行って出力する第１のステップと、チャンネル選択信号に応じて１つのチャンネルを受信して異なる解像度の内、より低い解像度の伸長処理を行って出力する第２のステップと、第１のステップによって出力される画像を所定の表示手段（実施形態においては、図１、図６、図９の表示装置７に相当する）における第１の領域（実施形態においては、図３、図１０の主画面に相当する）に表示し、第２のステップによって出力される画像を当該表示手段の第２の領域（実施形態においては、図３、図１０の副画面に相当する）に表示する第３のステップと、第１の領域および第２の領域に表示するテレビ放送を切り替える切替指令が所定の操作手段（実施形態においては、図１、図６、図９のユーザＩ／Ｆ８に相当する）から入力されたときは、当該切替指令に応じて切り替えたチャンネルのテレビ放送の画像が第１のステップによって出力されるまでの期間においては、第２のステップによって出力される画像を第１の領域に表示する第４のステップと、を実行する。
第１のステップないし第４のステップは、実施形態においては、図１、図６、図９の制御部６の処理に相当する。
【００１６】
請求項７のテレビ受信装置の制御プログラムにおいて、請求項８に記載したように、第４のステップは、第１のステップによって画像が出力されるまでの期間においては、第２のステップによって出力される静止画を第１の領域に表示するような構成にしてもよい。
【００１７】
請求項７のテレビ受信装置の制御プログラムにおいて、請求項９に記載したように、第２のステップによって受信された圧縮画像を所定の記憶手段（実施形態においては、図６、図９のバッファ９に相当する）に記憶する第５のステップをさらに実行し、第４のステップは、切替指令が入力されたときは、第１のステップによって伸長処理された画像が出力されるまでの期間においては、記憶手段に記憶された圧縮画像が第２のステップによって伸長処理されて出力される画像を第１の領域に表示するような構成にしてもよい。
第５のステップは、実施形態においては、図１、図６、図９の制御部６の処理に相当する。
【００１８】
請求項７のテレビ受信装置の制御プログラムにおいて、請求項１０に記載したように、第２のステップによって伸長処理された画像を所定の記憶手段（実施形態においては、図６、図９のバッファ９に相当する）に記憶する第５のステップをさらに実行し、第４のステップは、切替指令が入力されたときは、第１のステップによって伸長処理された画像が出力されるまでの期間においては、記憶手段に記憶された画像を第１の領域に表示するような構成にしてもよい。
第５のステップは、実施形態においては、図１、図６、図９の制御部６の処理に相当する。
【００１９】
請求項７のテレビ受信装置の制御プログラムにおいて、請求項１１に記載したように、第３のステップは、第２のステップによって作成された静止画を第２の領域に表示するような構成にしてもよい。
【００２０】
請求項７のテレビ受信装置の制御プログラムにおいて、請求項１２に記載したように、第３のステップは、操作手段から節電表示の指令が入力されたときは、第１のステップによって伸長処理を行う回路への電源供給の停止させ、第２のステップによって出力される画像を第１の領域に表示し、当該節電表示中において、操作手段から通常表示の指令が入力されたときは、その回路に対する電源供給を再開し、第１のステップによって出力される画像を第１の領域に表示するような構成にしてもよい。
【発明の効果】
【００２１】
本発明によれば、高解像度の画像のチャンネルと普通の解像度の画像のチャンネルとを同時に受信して、それぞれ主画面および副画面に表示して、随時チャンネルを切り替えて視聴する場合に、切替時の画像の欠落を防止できるという効果が得られる。
【発明を実施するための最良の形態】
【００２２】
以下、本発明によるテレビ受信装置の第１実施形態ないし第３実施形態について、図１ないし図１０を参照して説明する。なお、以下の各実施形態においては、地上波ディジタル放送によって多重化して配信される画像、音声、テキスト（文字放送）、番組案内情報（ＥＰＧ）の中で、画像および番組案内情報について説明し、本発明に関係しない音声およびテキストについては、図面の構成および説明を省略する。
【００２３】
まず、第１実施形態について、図１ないし図５を参照して説明する。図１は、地上波ディジタル放送を受信する第１実施形態のテレビ受信装置の構成を示すブロック図である。１３セグチューナ１は、受信した地上波ディジタル放送の１３セグメントの複数のチャンネルから、チャンネル選択信号に応じて１つのチャンネルを選択して出力する。１３セグデコーダ２は、１３セグチューナ１から出力された受信信号における高解像度の圧縮画像をデコード（伸長処理）およびその他の信号処理を行って出力する。１セグチューナ３は、受信した地上波ディジタル放送の１セグメントの複数のチャンネルから、チャンネル選択信号に応じて１つのチャンネルを選択して出力する。１セグデコーダ４は、１セグチューナ３から出力された受信信号における普通の解像度の圧縮画像をデコードおよびその他の信号処理を行って出力する。
【００２４】
表示コントローラ５は、１３セグデコーダ２から出力された高解像度の画像と１セグデコーダ４から出力された普通の解像度の画像とを１画面のフレーム画像に合成して出力する。制御部６は、１３セグチューナ１、１３セグデコーダ２、１セグチューナ３、１セグデコーダ４、および表示コントローラ５を制御する。表示装置７は、表示コントローラ５から出力される２系統の画像を画面に表示する。ユーザインタフェース（Ｉ／Ｆ）８は、ユーザの操作に応じて、チャンネル選択の指令、表示切替の指令、節電表示の指令などを制御部６に入力する。
【００２５】
図２は、図１の表示コントローラ５の内部構成を示すブロック図である。１３セグデコーダ出力である画像は、選択スイッチ回路５１、５２の一方の入力端子に入力される。また、１セグデコーダ出力である画像は、選択スイッチ回路５１、５２の他方の入力端子に入力される。選択スイッチ回路５１は、制御部６からの切替制御信号に応じて、いずれか一方の入力端子に入力された画像を選択して出力する。同様に、選択スイッチ回路５２は、制御部６からの切替制御信号に応じて、いずれか一方の入力端子に入力された画像を選択して出力する。
【００２６】
主画面用画像処理回路５３は、選択スイッチ回路５１から出力された画像を所定の画像サイズに変換して出力する。同様に、副画面用画像処理回路５４は、選択スイッチ回路５２から出力された画像を所定の画像サイズに変換して出力する。表示画面合成回路５５は、主画面用画像処理回路５３から出力された画像と、副画面用画像処理回路５４から出力された画像とを合成して、表示装置７に出力する。表示装置７の画面は、図３に示すように、領域の大きい主画面と領域の小さい副画面とで構成されている。
【００２７】
次に、制御部６における切替処理について、図４における画像切替の様子および図５における切替処理のフローチャートを参照して説明する。この場合において、ユーザは２つのチャンネルである１ｃｈと３ｃｈとを選択し、１ｃｈについては１３セグメント放送の高解像度の画像を主画面に表示させ、３ｃｈについては１セグメント放送の普通の解像度の画像を副画面に表示させて視聴しているものとする。また、１ｃｈおよび３ｃｈのデコーダ入力は、フレーム１、フレーム２、フレーム３…に対応する圧縮データである。
【００２８】
すなわち、図５に示すように、制御部６は、１セグチューナ３を３ｃｈにセットし、１３セグチューナ１を１ｃｈにセットするように制御する（ステップＳ１１）。そして、１セグデコーダ出力を副画面用処理回路５４に接続するように選択スイッチ回路５２を制御し、１３セグデコーダ出力を主画面用処理回路５３に接続するように選択スイッチ回路５１を制御する（ステップＳ１２）。この状態において、ユーザＩ／Ｆ８から表示切替の指令が入力されたか否かを判別する。切替指示があったタイミングをｔ０とする（ステップＳ１３）。表示切替の指令が入力されたときは、制御部６は、１セグチューナ３を１ｃｈにセットし、１３セグチューナ１を３ｃｈにセットするように制御する（ステップＳ１４）。また、１セグデコーダ出力を主画面用処理回路５３に接続するように選択スイッチ回路５１を制御し、１３セグデコーダ出力を副画面用処理回路５４に接続するように選択スイッチ回路５２を制御する（ステップＳ１５）。この状態においては、デコーダ入力はフレーム３になっており、３ｃｈのフレーム２は、１セグデコーダ４において既に信号処理が開始されている。
【００２９】
次に、制御部６は、時刻ｔが副画面用処理回路５４における１フレームの圧縮画像の信号処理に要する時刻ｔ１を経過したか否かを判別する（ステップＳ１６）。ｔがｔ１を経過したときは、１セグデコーダ出力は、図４に示すように、３ｃｈのフレーム２ａである。しかし、主画面用処理回路５３における１フレームの圧縮画像の信号処理に要する時刻ｔ２には達していない。このため、制御部６は、主画面表示をホールド状態にして、３ｃｈのフレーム２ａの静止画を表示するように制御する（ステップＳ１７）。この後は、時刻ｔが主画面用処理回路５３における１フレームの圧縮画像の信号処理に要する時刻ｔ２を経過したか否かを判別する（ステップＳ１８）。ｔがｔ２を経過したときは、１セグデコーダ出力を副画面用処理回路５４に接続するように選択スイッチ回路５２を制御し、１３セグデコーダ出力を主画面用処理回路５３に接続するように選択スイッチ回路５１を制御するとともに、主画面表示のホールド状態を解除する（ステップＳ１９）。
【００３０】
したがって、図４に示すように、切替後における主画面の表示出力は、時刻ｔ１において１セグデコーダ出力である３ｃｈのフレーム２ａとなり、時刻ｔ２に達するまでは、３ｃｈのフレーム２ａの静止画を主画面にホールドして表示する。そして、時刻ｔ２に達したときは、１３セグデコーダ出力である３ｃｈのフレーム３ｂを主画面に表示し、１セグデコーダ出力である１ｃｈのフレーム５ａを副画面に表示する。
【００３１】
以上のように、この第１実施形態によれば、１３セグチューナ１は、１３セグメントの高解像度の画像を圧縮して配信する複数のチャンネルのテレビ放送からチャンネル選択信号に応じて１つのチャンネルを受信し、１３セグデコーダ２は、１３セグチューナ１で受信された高解像度の圧縮画像に対して伸長処理を含む信号処理を行って出力する。また、１セグチューナ３は、通常の解像度の画像を圧縮して配信する複数のチャンネルのテレビ放送からチャンネル選択信号に応じて１つのチャンネルを受信し、１セグデコーダ４は、１セグチューナ３で受信された通常の解像度の圧縮画像に対して伸長処理を含む信号処理を行って出力する。表示コントローラ５は、１３セグデコーダ２から出力される高解像度の画像を表示装置７の主画面の領域に表示し、１セグデコーダ４から出力される通常の解像度の画像を表示装置７の副画面の領域に表示する。制御部６は、主画面および副画面に表示するテレビ放送を切り替える切替指令がユーザＩ／Ｆ８から入力されたときは、その切替指令に応じて切り替えたチャンネルのテレビ放送をデコードした１３セグデコーダ２から、高解像度の画像が出力されるまでの期間においては、１セグデコーダ４から出力される通常の解像度の静止画を主画面に表示するように表示コントローラ５に対して指示する。
したがって、高解像度の画像のチャンネルと普通の解像度の画像のチャンネルとを同時に受信して、それぞれ主画面および副画面に表示して、随時チャンネルを切り替えて視聴する場合に、切替時の画像の欠落を防止することができる。
【００３２】
次に、第２実施形態について、図６ないし図８を参照して説明する。図６は、地上波ディジタル放送を受信する第２実施形態のテレビ受信装置の構成を示すブロック図である。この図において、１セグチューナ３と１セグデコーダ４の間に２フレーム分の圧縮画像を記憶するバッファ９が設けられている。その他の構成については、図１に示した第１実施の形態の構成と同じである。
【００３３】
図６に示した構成により、１３セグチューナ１からの高解像度の圧縮画像と１セグチューナ３からの通常の解像度の圧縮画像は同じタイミングで出力されるが、バッファ９から出力されて１セグデコーダ４に入力される通常の解像度の圧縮画像である１セグデコーダ入力は、バッファ９に一旦ストアされるので、図７に示すように、１３セグチューナ１から出力されて１３セグデコーダ２に入力される高解像度の圧縮画像である１３セグデコーダ入力よりも２フレーム分だけ遅延される。
【００３４】
次に、制御部６における切替処理について、図７における画像切替の様子および図８における切替処理のフローチャートを参照して説明する。第１実施の形態の場合と同様に、ユーザは２つのチャンネルである１ｃｈと３ｃｈとを選択し、１ｃｈについては１３セグメント放送の高解像度の画像を主画面に表示させ、３ｃｈについては１セグメント放送の普通の解像度の画像を副画面に表示させて視聴しているものとする。
【００３５】
すなわち、制御部６は、１セグチューナ３を３ｃｈにセットし、１３セグチューナ１を１ｃｈにセットするように制御する（ステップＳ２１）。そして、１セグデコーダ出力を副画面用処理回路５４に接続するように選択スイッチ回路５２を制御し、１３セグデコーダ出力を主画面用処理回路５３に接続するように選択スイッチ回路５１を制御する（ステップＳ２２）。この状態において、図７のｔ０のタイミングでユーザＩ／Ｆ８から表示切替の指令が入力されたか否かを判別する（ステップＳ２３）。表示切替の指令が入力されたときは、制御部６は、１３セグチューナ１を３ｃｈにセットするように制御する（ステップＳ２４）。この結果、１セグチューナ３および１３セグチューナ１はいずれも３ｃｈのテレビ放送を受信する。次に、１セグデコーダ出力を主画面用処理回路５３に接続するように選択スイッチ回路５１を制御し、１３セグデコーダ出力を副画面用処理回路５４に接続するように選択スイッチ回路５２を制御する（ステップＳ２５）。この切替の後においては、１セグデコーダ出力は、切替前とチャンネルが変化していないので、３ｃｈのフレーム１ａの後に、同じ３ｃｈのフレーム２ａが続く。
【００３６】
次に、制御部６は、現在時刻ｔが１セグデコーダ４からフレーム３ａが出力される時刻ｔ３に達したか否かを判別する（ステップＳ２６）。ｔ３に達したときは、１セグチューナ３を１ｃｈにセットする（ステップＳ２７）。したがって、１セグデコーダ４の入力は、３ｃｈのフレーム４ａの後は１ｃｈのフレーム５ａ、フレーム６ａ、フレーム７ａ…と続く。次に、現在時刻ｔが１３セグデコーダ２から３ｃｈのフレームが出力される時刻ｔ４に達したか否かを判別する（ステップＳ２８）。ｔ４に達したときは、１セグデコーダ出力を副画面用処理回路５４に接続するように選択スイッチ回路５２を制御し、１３セグデコーダ出力を主画面用処理回路５３に接続するように選択スイッチ回路５１を制御する（ステップＳ２９）。
【００３７】
したがって、表示装置７の主画面の領域には、図７に示すように、時刻ｔ４に達する前においては、普通の解像度の画像である３ｃｈのフレーム１ａ、フレーム２ａ、フレーム３ａ、フレーム４ａが表示され、時刻ｔ４に達した後は、高解像度の画像である３ｃｈのフレーム５ｂ、フレーム６ｂ、フレーム７ｂ…が表示される。
【００３８】
以上のように、この第２実施の形態によれば、１３セグチューナ１は、１３セグメントの高解像度の画像を圧縮して配信する複数のチャンネルのテレビ放送からチャンネル選択信号に応じて１つのチャンネルを受信し、１３セグデコーダ２は、１３セグチューナ１で受信された高解像度の圧縮画像に対して伸長処理を含む信号処理を行って出力する。また、１セグチューナ３は、通常の解像度の画像を圧縮して配信する複数のチャンネルのテレビ放送からチャンネル選択信号に応じて１つのチャンネルを受信してバッファ９に記憶する。１セグデコーダ４は、バッファ９から遅延して出力された通常の解像度の圧縮画像に対して伸長処理を含む信号処理を行って出力する。表示コントローラ５は、１３セグデコーダ２から出力される高解像度の画像を表示装置７の主画面の領域に表示し、１セグデコーダ４から出力される通常の解像度の画像を表示装置７の副画面の領域に表示する。制御部６は、主画面および副画面に表示するテレビ放送を切り替える切替指令がユーザＩ／Ｆ８から入力されたときは、その切替指令に応じて切り替えたチャンネルのテレビ放送をデコードした１３セグデコーダ２から、高解像度の画像が出力されるまでの期間においては、バッファ９から読み出されて１セグデコーダ４によって伸長処理などの信号処理がなされた通常の解像度の画像を主画面に表示するように表示コントローラ５に対して指示する。
したがって、第１実施形態の場合と同様に、高解像度の画像のチャンネルと普通の解像度の画像のチャンネルとを同時に受信して、それぞれ主画面および副画面に表示して、随時チャンネルを切り替えて視聴する場合に、切替時の画像の欠落を防止することができる。
【００３９】
次に、第２実施形態の変形例について説明する。図９は、変形例におけるテレビ受信装置の構成を示すブロック図である。図６に示した第２実施形態では、１セグチューナ３と１セグデコーダ４との間にバッファ９が設けられていたが、この変形例においては、１セグデコーダ４の後にバッファ９が設けられている。すなわち、バッファ９には１セグデコーダ４で信号処理された普通の解像度の画像がストアされる。制御部６は、主画面および副画面に表示するテレビ放送を切り替える切替指令がユーザＩ／Ｆ８から入力されたときは、その切替指令に応じて切り替えたチャンネルのテレビ放送をデコードした１３セグデコーダ２から、高解像度の画像が出力されるまでの期間においては、１セグデコーダ４によって伸長処理などの信号処理がなされてバッファ９にストアされている通常の解像度の画像を主画面に表示するように表示コントローラ５に対して指示する。
したがって、上記第２実施形態と同様に、高解像度の画像のチャンネルと普通の解像度の画像のチャンネルとを同時に受信して、それぞれ主画面および副画面に表示して、随時チャンネルを切り替えて視聴する場合に、切替時の画像の欠落を防止することができる。
【００４０】
次に、第３実施形態について説明する。図１０は、第３実施形態における表示装置７の主画面および副画面を示している。副画面１０ａには、上記第１実施形態および第２実施形態と同様な１セグメントのテレビ放送の画面が動画として表示されている。他の副画面１０ｂには、受信中以外のチャンネルの放送内容から作成された静止画が表示されている。この静止画はユーザが視聴する前に、１セグチューナ・デコーダによって各チャンネルの放送内容から作成したものである。主画面と副画面１０ａとの表示切替については、上記第１実施形態又は第２実施形態と同じであるが、第３実施形態においては、ユーザＩ／Ｆ８の操作に応じて、静止画のチャンネルを受信して主画面又は副画面１０ａに表示することができる。
【００４１】
以上のように、この第３実施形態によれば、主画面に表示されている高解像度の画像のチャンネル、および、副画面１０ａに表示されている通常の解像度の画像のチャンネル以外の他のチャンネルについて、予め１セグチューナ・デコーダによって各チャンネルの放送内容から作成された静止画を副画面１０ｂに表示する。
したがって、現在受信していない他のチャンネルの番組の内容を、放送内容から作成した静止画によって容易に把握できるので、頻繁にチャンネル変更を行ったり、主画面を消去して番組案内情報を表示するなどの煩雑な操作を必要とすることなく、全てのチャンネルの進行状況を認識することができる。
【００４２】
なお、上記各実施形態においては、１３セグメントの高解像度の画像を主画面に表示し、１セグメントの普通の解像度の画像を副画面に表示する構成にしたが、節電のために以下に示す構成も可能である。電力の供給をバッテリで行う携帯型のテレビ受信装置においては、１３セグメントの高解像度のテレビ放送を受信する１３セグチューナ１および１３セグデコーダ２のために、バッテリの消費電力が大きくなる。そこで、ユーザＩ／Ｆ８から節電表示の指令を入力できるように構成して、１３セグチューナ１および１３セグデコーダ２をオフ状態に設定し、電力消費が少ない１セグチューナ３および１セグデコーダ４だけをオン状態に設定して、１セグデコーダ４から出力される画像を主画面に表示する。そして、副画面の画面が興味を引くような場面になったとき、例えば、サッカー中継でシュートの場面になったときに、１３セグチューナ１および１３セグデコーダ２をオン状態に切り替えて、その場面を主画面に表示する。
【００４３】
すなわち、制御部６は、ユーザＩ／Ｆ８から節電表示の指令が入力されたときは、１３セグチューナ１および１３セグデコーダ２に対する電源供給を停止し、１セグチューナ３および１セグデコーダ４から出力される通常の解像度の画像を表示装置７の主画面に表示するように表示コントローラ５に対して指示する。この節電表示中において、ユーザＩ／Ｆ８から通常表示の指令が入力されたときは、１３セグチューナ１および１３セグデコーダ２に対する電源供給を再開し、１３セグチューナ１および１３セグデコーダ２から出力される高解像度の画像を表示装置７の主画面に表示するように表示コントローラ５に対して指示する。
したがって、電力の供給をバッテリで行う携帯型のテレビ受信装置において、重要でない場面においては普通の解像度の画像で視聴し、重要な場面については高解像度の画像で視聴することで、バッテリの消費電力を節約できる。
【００４４】
上記各実施形態においては、制御部６にあらかじめ記憶されている制御プログラムを実行する装置の発明について説明したが、テレビ受信が可能なパソコンのハードディスクなどの不揮発性メモリに、ＣＤ−ＲＯＭ、ＤＶＤ、メモリカードなどの外部記録媒体から読み込んだ制御プログラム、又は、インターネットなどのネットワークからダウンロードした制御プログラムをインストールすることも可能である。この場合には、プログラムの発明を実現する。
【００４５】
すなわち、本発明によるテレビ受信装置の制御プログラムは、１つの番組を異なる２つ以上の解像度に圧縮して配信するテレビ放送を受信するテレビ受信装置の制御プログラムであって、
チャンネル選択信号に応じて１つのチャンネルを受信して異なる解像度の内、より高い解像度の伸長処理を行って出力する第１のステップと、チャンネル選択信号に応じて１つのチャンネルを受信して異なる解像度の内、より高い解像度の伸長処理を行って出力する第２のステップと、前記第１のステップによって出力される画像を所定の表示手段における第１の領域に表示し、前記第２のステップによって出力される画像を当該表示手段の第２の領域に表示する第３のステップと、前記第１の領域および前記第２の領域に表示するテレビ放送を切り替える切替指令が所定の操作手段から入力されたときは、当該切替指令に応じて切り替えたチャンネルの画像が前記第１のステップによって出力されるまでの期間においては、前記第２のステップによって出力される画像を前記第１の領域に表示する第４のステップと、
を実行する。
【００４６】
前記第４のステップは、前記第１のステップによって画像が出力されるまでの期間においては、第２のステップによって出力される静止画を前記第１の領域に表示する。
【００４７】
前記第２のステップによって受信された圧縮画像を所定の記憶手段に記憶する第５のステップをさらに実行し、前記第４のステップは、前記切替指令が入力されたときは、前記第１のステップによって伸長処理された画像が出力されるまでの期間においては、前記記憶手段に記憶された圧縮画像が前記第２のステップによって伸長処理されて出力される画像を前記第１の領域に表示する。
【００４８】
前記第２のステップによって伸長処理された画像を所定の記憶手段に記憶する第５のステップをさらに実行し、前記第４のステップは、前記切替指令が入力されたときは、前記第１のステップによって伸長処理された画像が出力されるまでの期間においては、前記記憶手段に記憶された画像を前記第１の領域に表示する。
【００４９】
前記第３のステップは、前記第２のステップによって作成された静止画を前記第２の領域に表示する。
【００５０】
前記第３のステップは、前記操作手段から節電表示の指令が入力されたときは、前記第１のステップによって伸長処理を行う回路への電源供給の停止させ、前記第２のステップによって出力される画像を前記第１の領域に表示し、当該節電表示中において、前記操作手段から通常表示の指令が入力されたときは、前記回路に対する電源供給を再開し、前記第１のステップによって出力される画像を前記第１の領域に表示する。
【図面の簡単な説明】
【００５１】
【図１】本発明の第１実施形態におけるテレビ受信装置のブロック図。
【図２】図１の表示コントローラの詳細なブロック図。
【図３】第１実施形態における表示装置の主画面および副画面を示す図。
【図４】第１実施形態における画像切替の様子を示す図。
【図５】第１実施形態における制御部の画像切替の動作を示すフローチャート。
【図６】本発明の第２実施形態におけるテレビ受信装置のブロック図。
【図７】第２実施形態における画像切替の様子を示す図。
【図８】第２実施形態における制御部の画像切替の動作を示すフローチャート。
【図９】本発明の第２実施形態の変形例におけるテレビ受信装置のブロック図。
【図１０】第３実施形態における表示装置の主画面および副画面を示す図。
【図１１】従来のテレビ受信装置における画像切替の様子を示す図。
【符号の説明】
【００５２】
１  １３セグチューナ
２  １３セグデコーダ
３  １セグチューナ
４  １セグデコーダ
５  表示コントローラ
６  制御部
７  表示装置
８  ユーザインターフェース
９  バッファ
【図１】
2006196936.tif 000003
【図２】
2006196936.tif 000004
【図３】
2006196936.tif 000005
【図４】
2006196936.tif 000006
【図５】
2006196936.tif 000007
【図６】
2006196936.tif 000008
【図７】
2006196936.tif 000009
【図８】
2006196936.tif 000010
【図９】
2006196936.tif 000011
【図１０】
2006196936.tif 000012
【図１１】
2006196936.tif 000013